(57)【要約】【課題】使用者に電源スイッチをオフ側に設定されても電源が切れずに、異常検出、警報発生動作を継続することができる警報器を提供する。【解決手段】マイコン４は、異常を検出すると、その旨を発生する。このマイコン４には、電池１２からの電源が供給されている。電源スイッチ１３は、ＯＮ側とＯＦＦ側との間で切替操作できるスイッチである。自己保持回路１４は、マイコン４に対して電池１２からの電源が供給されていない状態で、電源スイッチ１３のＯＦＦ側からＯＮ側への切替操作を行うと、マイコン４に対して電源供給を開始し、その後、電源スイッチ１３のＯＮ側からＯＦＦ側への切替操作を行ってもマイコン４に対する電源供給が継続される。【選択図】図１
2015230595.tif 000002
【特許請求の範囲】
【請求項１】
異常を検出すると、その旨の警報を発生する異常検出・警報手段と、前記異常検出・警報手段に電源を供給する電池と、を備えた警報器において、
オン位置とオフ位置との間で切替操作できる電源スイッチと、
前記異常検出・警報手段に対して前記電池からの電源が供給されていない状態で、前記電源スイッチのオフ位置からオン位置への切替操作を行うと、前記異常検出・警報手段に対する電源供給を開始し、その後、前記電源スイッチのオン位置からオフ位置への切替操作を行っても前記異常検出・警報手段に対する電源供給を継続させる自己保持手段と、を備えたことを特徴とする警報器。
【請求項２】
前記異常検出・警報手段は、電源供給後、前記電源スイッチの位置に関係なく、異常を検出していない状態から異常を検出した状態に変化すると、音声警報と表示警報との双方の警報を発生させる
ことを特徴とする請求項１に記載の警報器。
【請求項３】
前記異常検出・警報手段は、警報発生中に、前記電源スイッチのオン位置からオフ位置への切替操作が行われると、音声警報を停止し、表示警報を継続させる
ことを特徴とする請求項２に記載の警報器。
【請求項４】
前記異常検出・警報手段は、前記電源スイッチがオフ位置の状態で、前記音声警報と前記表示警報との双方が発生している場合、前記電源スイッチをオフ位置からオン位置に切り替え、その後、オン位置からオフ位置に切り替えると、音声警報を停止し、表示警報を継続させる
ことを特徴とする請求項３に記載の警報器。
【請求項５】
前記異常検出・警報手段は、前記電源スイッチがオフ位置の状態で、前記音声警報が停止し前記表示警報のみが発生している場合、前記電源スイッチをオフ位置からオン位置に切り替え、その後、オン位置からオフ位置に切り替えると、前記音声警報を再び発生させる
ことを特徴とする請求項３又は４に記載の警報器。
【請求項６】
前記電源スイッチがオフ位置の状態で、かつ、異常が検出されていない状態が所定時間以上継続すると、前記電源スイッチがオフ位置である旨を報知する報知手段をさらに備えた
ことを特徴とする請求項１〜５何れか１項に記載の警報器。
【請求項７】
所定のトリガが発生すると、前記電源スイッチの切替操作に応じて前記異常検出・警報手段に対する電源供給をオンオフする検査モードから前記自己保持手段を機能させる通常モードへ切り替える切替手段をさらに備えた
ことを特徴とする請求項１〜６何れか１項に記載の警報器。
【請求項８】
所定のトリガに応じて、前記異常検出・警報手段に対する電源を遮断して、前記自己保持手段をリセットするリセット手段をさらに備えた
ことを特徴とする請求項１〜６何れか１項に記載の警報器。
【請求項９】
前記異常検出・警報手段が、前記異常を検出するためのセンサを有し、
前記センサの故障を検出する故障検出手段と、
前記故障検出手段により故障が検出されると前記異常検出・警報手段の動作を停止させる動作停止手段と、
前記故障検出手段により故障が検出されるとその旨を音声報知及び表示報知する故障報知手段と、
一定時間、前記故障報知手段による故障報知を行った後、前記音声報知を停止し前記表示報知を継続させる、または、前記音声報知及び前記表示報知を停止させる故障報知停止手段と、
を備えたことを特徴とする請求項１〜８何れか１項に記載の警報器。
【発明の詳細な説明】
【技術分野】
【０００１】
本発明は、警報器に係り、特に、電源スイッチが設けられた警報器に関するものである。
【背景技術】
【０００２】
従来、警報器は、ガス濃度が所定の閾値を超えると異常を検出して、その旨の警報を発生する。しかし、警報器は、以下のように誤警報してしまう場合がある。例えば、使用者が警報器付近にいるゴキブリに殺虫剤を吹き掛けた場合、殺虫剤が警報器に内蔵されたセンサの活性炭等に付着してしまい、誤警報が長時間に渡り鳴り続けることになる。また、台所で多めのお酒を長時間に渡り燗を付けると、アルコールが警報器に内蔵されたセンサの活性炭等に付着してしまい、誤警報が長時間に渡り鳴り続けることになる。
【０００３】
しかしながら、ガス警報器の警報音は非常に大きな音で、耳障りであるため、使用者宅のみならず、近隣にとっても非常に迷惑である。ＡＣ１００Ｖ式警報器の場合、ＡＣ１００Ｖ用プラグを抜けば、取り急ぎ警報器を停止することができた。しかし、電池式警報器の場合は、例えば裏面にある電源スイッチをオフにして、そのままオンに戻す操作を忘れ、放置されてしまったり、冷蔵庫の奥に入れてドアを閉められたり、水の中につけられてしまう場合があり、その後、ガス漏れの検知が行われず、問題となっている。
【発明の概要】
【発明が解決しようとする課題】
【０００４】
そこで、本発明は、使用者に電源スイッチをオフ側に設定されても電源が切れずに、異常検出、警報発生動作を継続することができる警報器を提供することを課題とする。
【課題を解決するための手段】
【０００５】
上記課題を解決するためになされた請求項１記載の発明は、異常を検出すると、その旨の警報を発生する異常検出・警報手段と、前記異常検出・警報手段に電源を供給する電池と、を備えた警報器において、オン位置とオフ位置との間で切替操作できる電源スイッチと、前記異常検出・警報手段に対して前記電池からの電源が供給されていない状態で、前記電源スイッチのオフ位置からオン位置への切替操作を行うと、前記異常検出・警報手段に対する電源供給を開始し、その後、前記電源スイッチのオン位置からオフ位置への切替操作を行っても前記異常検出・警報手段に対する電源供給を継続させる自己保持手段と、を備えたことを特徴とする警報器に存する。
【０００６】
請求項２記載の発明は、前記異常検出・警報手段は、電源供給後、前記電源スイッチの位置に関係なく、異常を検出していない状態から異常を検出した状態に変化すると、音声警報と表示警報との双方の警報を発生させることを特徴とする請求項１に記載の警報器に存する。
【０００７】
請求項３記載の発明は、前記異常検出・警報手段は、警報発生中に、前記電源スイッチのオン位置からオフ位置への切替操作が行われると、音声警報を停止し、表示警報を継続させることを特徴とする請求項２に記載の警報器に存する。
【０００８】
請求項４記載の発明は、前記異常検出・警報手段は、前記電源スイッチがオフ位置の状態で、前記音声警報と前記表示警報との双方が発生している場合、前記電源スイッチをオフ位置からオン位置に切り替え、その後、オン位置からオフ位置に切り替えると、音声警報を停止し、表示警報を継続させることを特徴とする請求項３に記載の警報器に存する。
【０００９】
請求項５記載の発明は、前記異常検出・警報手段は、前記電源スイッチがオフ位置の状態で、前記音声警報が停止し前記表示警報のみが発生している場合、前記電源スイッチをオフ位置からオン位置に切り替え、その後、オン位置からオフ位置に切り替えると、前記音声警報を再び発生させることを特徴とする請求項３又は４に記載の警報器に存する。
【００１０】
請求項６記載の発明は、前記電源スイッチがオフ位置の状態で、かつ、異常が検出されていない状態が所定時間以上継続すると、前記電源スイッチがオフ位置である旨を報知する報知手段をさらに備えたことを特徴とする請求項１〜５何れか１項に記載の警報器に存する。
【００１１】
請求項７記載の発明は、所定のトリガが発生すると、前記電源スイッチの切替操作に応じて前記異常検出・警報手段に対する電源供給をオンオフする検査モードから前記自己保持手段を機能させる通常モードへ切り替える切替手段をさらに備えたことを特徴とする請求項１〜６何れか１項に記載の警報器に存する。
【００１２】
請求項８記載の発明は、所定のトリガに応じて、前記異常検出・警報手段に対する電源を遮断して、前記自己保持手段をリセットするリセット手段をさらに備えたことを特徴とする請求項１〜６何れか１項に記載の警報器に存する。
【００１３】
請求項９記載の発明は、前記異常検出・警報手段が、前記異常を検出するためのセンサを有し、前記センサの故障を検出する故障検出手段と、前記故障検出手段により故障が検出されると前記異常検出・警報手段の動作を停止させる動作停止手段と、前記故障検出手段により故障が検出されるとその旨を音声報知及び表示報知する故障報知手段と、一定時間、前記故障報知手段による故障報知を行った後、前記音声報知を停止し前記表示報知を継続させる、または、前記音声報知及び前記表示報知を停止させる故障報知停止手段と、を備えたことを特徴とする請求項１〜８何れか１項に記載の警報器に存する。
【発明の効果】
【００１４】
以上説明したように請求項１記載の発明によれば、自己保持手段により、使用者が電源スイッチをオフ位置に切り替えても電源が切れずに、異常検出、警報発生動作を継続することができ、使用者に対して適切に警報を発生させることができる。
【００１５】
請求項２記載の発明によれば、電源供給後は、電源スイッチの位置に関係なく、異常を検出していない状態から異常を検出した状態に変化すると、音声警報と表示警報との双方の警報を発生して、使用者に確実に異常を伝えることができる。
【００１６】
請求項３記載の発明によれば、警報が発生した場合、使用者は電源スイッチのオン位置からオフ位置への切替操作を行うことにより、簡単にわずらわしい音声警報のみを停止させることができる。
【００１７】
請求項４記載の発明によれば、電源スイッチがオフ位置にあって、音声警報と表示警報との双方が発生している場合、使用者は電源スイッチをオフ位置→オン位置→オフ位置に切り替えることにより、再びわずらわしい音声警報を停止させることができる。
【００１８】
請求項５記載の発明によれば、音声警報停止中でも、使用者は簡単なスイッチ操作により音声警報を再び発生させることができ、警報器がどういう理由で警報をしていたかを知ることができ、窓を開けて換気する等の適切な対応をとることができる。
【００１９】
請求項６記載の発明によれば、報知手段により電源スイッチがオフ位置のままであることを使用者に気付かせ、使用者に電源スイッチをオン位置に切り替えさせることができる。
【００２０】
請求項７記載の発明によれば、製造工程で検査モードにすれば、電源スイッチの切替操作に応じて電源がオンオフできるため、検査が終わり梱包して出荷するときに電源供給を遮断でき、電池の無駄な消費を防ぐことができる。また、その後、トリガを発生させれば自己保持手段を機能させることができる。
【００２１】
請求項８記載の発明によれば、製造工程で検査が終わり梱包して出荷するときに、所定のトリガを入力して自己保持手段をリセットすれば異常検出・警報手段に対する電源供給を遮断できる。このため、電池の無駄な消費を防ぐことができる。
【００２２】
請求項９記載の発明によれば、動作停止手段が、センサの故障が検出されると異常検出・警報手段の動作を停止させるので、センサの故障により警報音が頻繁に発生するのを防止できる。また、故障報知手段が、センサの故障が検出されるとその旨を報知するので、故障した警報器の交換などを促すことができる。また、故障報知が発生しても一定時間後に音声報知のみ、または、音声報知及び表示報知が停止されるため、故障した警報器を回収中に音声報知が鳴動し、ガス事業者や運送業者が驚いて対処に困るという不具合がなくなる。
【図面の簡単な説明】
【００２３】
【図１】第１実施形態における本発明の警報器としての複合警報器の電気構成図である。
【図２】（Ａ）は図１に示す複合警報器の正面外観図であり、（Ｂ）は（Ａ）のＩ−Ｉ線断面図であり、（Ｃ）は（Ａ）に示す複合警報器の背面外観図である。
【図３】図１に示すマイコンの処理手順を示すフローチャートである。
【図４】第２実施形態における本発明の警報器としての複合警報器の電気構成図である。
【図５】第３実施形態における図１又は図４に示すマイコンの処理手順を示すフローチャートである。
【発明を実施するための形態】
【００２４】
（第１実施形態）
以下、第１実施形態における本発明の警報器としての複合警報器を図１及び図２に基づいて説明する。同図に示すように、複合警報器１は、火災を検出する火災検出部２と、ガス濃度を検出するガス検出部３と、これら火災検出部２及びガス検出部３からの検出結果が供給されるマイクロコンピュータ（以下マイコン）４と、を備えている。
【００２５】
また、複合警報器１は、火災（＝異常）、ガス漏れ（＝異常）を表示で警報するＬＥＤ５と、火災、ガス漏れを音声で警報するスピーカ６と、ＬＥＤ５を駆動するための表示出力部７と、スピーカ６を駆動するための音声出力部８と、火災、ガス漏れなどの各種情報を外部に出力する外部出力送信部９と、を備えている。なお、以下、上記ＬＥＤ５での警報を「表示警報」、上記スピーカ６での警報を「音声警報」と言う。
【００２６】
火災検出部２は周知の火災センサから構成され、ガス検出部３は周知のガスセンサから構成されている。マイコン４は、周知のＣＰＵ、ＲＯＭ、ＲＡＭから構成されていて、検出処理部４Ａと、警報処理部４Ｂと、外部出力処理部４Ｃと、記憶部４Ｄと、を備えている。検出処理部４Ａには、上述した火災検出部２及びガス検出部３の検出結果が供給されている。検出処理部４Ａは、この火災検出部２及びガス検出部３の検出結果から火災、ガス漏れを検出する。
【００２７】
警報処理部４Ｂは、表示出力部７及び音声出力部８を制御する。警報処理部４Ｂは、検出処理部４Ａにより火災又はガス漏れが検出されると、表示出力部７及び音声出力部８を制御してその旨を伝える表示警報及び音声警報を発生させる。
【００２８】
外部出力処理部４Ｃは、火災又はガス漏れの警報を発生した旨などの各種情報を外部出力送信部９から出力させる。記憶部４Ｄは、上記ＲＡＭ、ＲＯＭなどから構成され、マイコン４の処理に必要なデータなどが格納されている。即ち、上記火災検出部２、ガス検出部３及びマイコン４が、異常検出・警報手段を構成している。
【００２９】
図２に示すように、火災検出部２、ガス検出部３、マイコン４、ＬＥＤ５、スピーカ６、表示出力部７及び音声出力部８は、配線板１０上に実装され、ケース１１内に収容されている。
【００３０】
また、複合警報器１は、図１に示すように、これら火災検出部２、ガス検出部３、マイコン４、ＬＥＤ５、スピーカ６、表示出力部７及び音声出力部８（以下、これらを「マイコン４など」と略記する）に電源を供給する電池１２と、電源のオンオフの切替操作が行われる電源スイッチ１３と、自己保持手段としての自己保持回路１４と、電源制御部１５と、を備えている。
【００３１】
電源スイッチ１３は、図２に示すように、ケース１１の背面から突出し、ＯＮ側（オン位置）とＯＦＦ側（オフ位置）との間で切替操作できるノブ１３Ａと、ノブ１３ＡがＯＮ側にあるときオンし、ノブ１３ＡがＯＦＦ側にあるときオフするスイッチ素子１３Ｂ及び１３Ｃと、を備えている。スイッチ素子１３Ｂ及び１３Ｃは、配線板１０上に実装されている。スイッチ素子１３Ｂは、電池１２のマイナス側と後述する電源制御部１５との間に設けられている。スイッチ素子１３Ｃは、後述する自己保持回路１４内に組み込まれている。
【００３２】
自己保持回路１４は、マイコン４などに対して電池１２からの電源が供給されていない状態で、電源スイッチ１３のＯＦＦ側からＯＮ側への切替操作を行うと、マイコン４などに対する電源供給を開始し、その後、電源スイッチ１３のＯＮ側からＯＦＦ側への切替操作を行ってもマイコン４に対する電源供給を継続させる回路である。
【００３３】
この自己保持回路１４は、図１に示すように、電池１２とマイコン４などとの間に設けられたサイリスタＴＨと、サイリスタＴＨのゲート及びカソード間に設けられ、サイリスタＴＨにゲート電流を供給する抵抗Ｒと、を備えている。そして、上記スイッチ素子１３Ｃが、サイリスタＴＨのアノードとゲート間に接続されている。
【００３４】
以下、上記自己保持回路１４での動作を説明する。サイリスタＴＨのアノード−カソード間が導通していない状態、即ちマイコン４などに対して電池１２からの電源が供給されていない状態（例えば出荷時）で、電源スイッチ１３のＯＦＦ側からＯＮ側への切替操作が行われ、スイッチ素子１３Ｃがオンされると、サイリスタＴＨのゲートにゲート電流が供給される。これにより、サイリスタＴＨのアノード−カソード間が導通して、マイコン４などに対して電源が供給される。次に、この状態で電源スイッチ１３のＯＮ側からＯＦＦ側への切替操作が行われ、スイッチ素子１３Ｃがオフとなり、サイリスタＴＨへのゲート電流が遮断されても、サイリスタＴＨのアノード−カソード間の導通が維持され、マイコン４などに対する電源供給が維持される。
【００３５】
また、電源制御部１５は、自己保持回路１４からの電源をマイコン４に対して出力する。また、電源制御部１５には、電源スイッチ１３のスイッチ素子１３Ｂが接続され、スイッチ素子１３Ｂのオンオフ状態をマイコン４に対して出力する。具体的には、電源制御部１５は、電源スイッチ１３がＯＮ側であり、スイッチ素子１３Ｂがオンのとき、ＬＯＷ信号をマイコン４に出力し、電源スイッチ１３がＯＦＦ側であり、スイッチ素子１３Ｂがオフのとき、ＨＩＧＨ信号をマイコン４に出力する。
【００３６】
次に、上述した構成の複合警報器１の動作について図３に示すフローチャートを参照して説明する。上述した構成の複合警報器１は、工場出荷時は電源スイッチ１３のノブ１３ＡがＯＦＦ側に設定されて出荷されている。この状態では、電池１２からマイコン４などに対して電源が供給されておらず、異常の検出、警報を行うことができない。ガス事業者は、使用者宅にて、複合警報器１を設置後、先のとがった、例えばボールペンの先のようなもので電源スイッチ１３のノブ１３ＡをＯＦＦ側からＯＮ側にして切替操作を行う。
【００３７】
これにより、電池１２からマイコン４などに対して電源が供給され、マイコン４は図３に示す処理をスタートさせて火災、ガス漏れ監視状態となる。なお、電源スイッチ１３のノブ１３Ａを一旦ＯＦＦ側からＯＮ側に切り替えると、その後ＯＦＦ側に切り替えても、上記自己保持回路１４によりマイコン４などへの電源供給が継続し、火災、ガス漏れ監視状態が継続される。
【００３８】
電源が供給されると、マイコン４は、火災検出部２及びガス検出部３からの検出結果を取得する（ステップＳ１）。次に、マイコン４は、ステップＳ１で取得した検出結果に基づいて火災、ガス漏れを検出すると（ステップＳ２でＹ）、ＬＥＤ５を点灯させると共にスピーカ６から警報音を発生させることにより、音声警報及び表示警報の双方を発生させる（ステップＳ３）。
【００３９】
この警報の発生に応じて使用者が電源スイッチ１３のノブ１３ＡをＯＦＦ側にスライドさせても、上記自己保持回路１４によりマイコン４などへの電源供給が継続する。また、マイコン４は、音声警報及び表示警報の発生中に、電源スイッチ１３のＯＮ側からＯＦＦ側への切替操作を検出すると（ステップＳ４でＹ、かつ、ステップＳ５でＹ）、音声警報については停止し表示警報は継続させた後（ステップＳ６）、ステップＳ８に進む。また、音声警報が停止し表示警報のみの発生中に、電源スイッチ１３のＯＮ側からＯＦＦ側への切替操作を検出すると（ステップＳ４でＹ、かつ、ステップＳ５でＮ）、再び音声警報を発生させた後（ステップＳ７）、ステップＳ８に進む。一方、電源スイッチ１３のＯＮ側からＯＦＦ側への切替を検出しなければ（ステップＳ４でＮ）、マイコン４は、ステップＳ６に進むことがないので、音声警報及び表示警報の双方が継続された状態で、ステップＳ８に進む。
【００４０】
ステップＳ８においては、マイコン４は、再び火災検出部２及びガス検出部３からの検出結果を取得する。そして、取得した検出結果に基づいて火災、ガス漏れが継続していた場合（ステップＳ９でＹ）、マイコン４は、ステップＳ４に戻る。一方、火災、ガス漏れが継続していなかった場合（ステップＳ９でＮ）、マイコン４は、全ての警報を停止した後（ステップＳ１０）、ステップＳ１に戻る。
【００４１】
一方、ステップＳ１で取得した検出結果に基づいて火災、ガス漏れが発生していなかった場合（ステップＳ２でＮ）、マイコン４は、電源スイッチ１３がＯＦＦ側になっているか否かを判定する（ステップＳ１１）。ＯＦＦ側になっている場合（ステップＳ１１でＹ）、マイコン４は、タイマーのカウント値Ｔをカウントアップさせる（ステップＳ１２）。一方、ＯＮ側になっている場合（ステップＳ１１でＮ）、マイコン４は、タイマーのカウント値Ｔを０リセットした後（ステップＳ１５）、後述するステップＳ１４の報知が出力されていれば停止した後（ステップＳ１６）、ステップＳ１に戻る。これにより、タイマーのカウント値Ｔは、電源スイッチ１３がＯＦＦ側に設定され、かつ、異常が検出されていない状態の継続時間となる。
【００４２】
カウントアップさせた結果、カウント値Ｔが所定時間以上になると（ステップＳ１３でＹ）、マイコン４は、電源スイッチ１３がＯＦＦ側で、かつ、異常が検出されていない状態が所定時間以上継続していると判定して、報知手段として機能し、ＬＥＤ５やスピーカ６を制御して、電源スイッチ１３がＯＦＦ側になっている旨を報知する（ステップＳ１４）。例えば、スピーカ６から「電源スイッチがＯＦＦのままです。ＯＮに戻してください。」と出力する。その後、電源スイッチ１３がＯＮ側になれば（ステップＳ１１でＮ）、タイマーのカウント値Ｔが０リセットされ（ステップＳ１５）、電源スイッチ１３がＯＦＦ側になっている旨の報知が停止されて（ステップＳ１６）、ステップＳ１に戻る。
【００４３】
上述した複合警報器１によれば、火災、ガス漏れなどの異常が検出されると、音声警報及び表示警報の双方が発生される（ステップＳ２、Ｓ３）。従来技術でも説明したような誤警報の場合、使用者は、電源スイッチ１３をＯＦＦ側に設定し、電源を切ろうとする。しかしながら、本発明の複合警報器１は、自己保持回路１４を備えており、電源スイッチ１３をＯＦＦ側にしても、マイコン４などへの電源が切れずに、異常検出、警報動作を継続することができ、使用者に対して適切に警報を発生することができる。
【００４４】
また、上述した複合警報器１によれば、異常を検出していない状態から異常を検出した状態に変化すると（ステップＳ２でＹ）、電源スイッチ１３の状態に関係なく（電源スイッチ１３がＯＦＦ側にあっても）、音声警報及び表示警報の双方が出力される（ステップＳ３）。これにより、電源スイッチ１３をＯＦＦ側にして音声警報を停止した後（ステップＳ６）、例えば、活性炭に付着した殺虫剤やアルコール等が蒸発して異常の検出が継続されなくなり（ステップＳ９でＮ）、警報が停止された後（ステップＳ１０）、再び異常を検出すると（ステップＳ２でＹ）、音声警報及び表示警報の双方を発生することができ（ステップＳ３）、使用者に確実に異常を伝えることができる。
【００４５】
また、上述した複合警報器１によれば、音声警報及び表示警報の双方が発生中に、電源スイッチ１３をＯＮ側からＯＦＦ側に切り替えると（ステップＳ４でＹかつステップＳ５でＹ）、マイコン４は、音声警報のみを停止する。この状態で、異常の検出が継続されている場合、表示警報は継続されている。これにより、誤警報が発生した場合、使用者は電源スイッチ１３のＯＮ側からＯＦＦ側への切替操作を行うことにより、簡単にわずらわしい音声警報のみを停止することができる。
【００４６】
また、上述した複合警報器１によれば、音声警報が停止され表示警報のみが発生中に、電源スイッチ１３をＯＮ側からＯＦＦ側に切り替えると（ステップＳ４でＹかつステップＳ５でＮ）、マイコン４は、再び音声警報を発生させる。これにより、音声警報停止中でも、使用者は簡単なスイッチ操作により音声警報を再び発生させることができ、複合警報器１がどういう理由で警報をしていたかを知ることができ、窓を開けて換気する等の適切な対応をとることができる。
【００４７】
上述した状態（電源スイッチ１３がＯＦＦ側にあって、音声警報と表示警報との双方が発生している状態）で、電源スイッチ１３をＯＦＦ側からＯＮ側に切り替え、その後、ＯＮ側からＯＦＦ側に切り替えると、ステップＳ４でＹとなり、再び音声警報を停止することができる。
【００４８】
また、上述した複合警報器１によれば、マイコン４は、電源スイッチ１３がＯＦＦ側の状態で、かつ、異常が検出されていない状態が所定時間以上継続すると、電源スイッチ１３がＯＦＦ側である旨をＬＥＤ５及びスピーカ６を用いて報知する（ステップＳ１４）。これにより、電源スイッチ１３がＯＦＦ側のままであることを使用者に気付かせ、使用者に本来の位置であるＯＮ側に電源スイッチ１３を切り替えさせることができる。
【００４９】
なお、上述した第１実施形態によれば、タイマーを用いて、電源スイッチ１３がＯＦＦ側の状態で、かつ、異常が検出されていない状態の継続時間をカウントしていたが、これに限ったものではない。例えば、複合警報器１には、通電時間をカウントする通電タイマーが内蔵されているが、通電タイマーのカウント値から上記継続時間を求めるようにしてもよい。
【００５０】
（第２実施形態）
次に、第２実施形態における本発明の警報器としてのガス警報器について図４を参照して説明する。同図において、上述した第１実施形態で説明した図１に示す複合警報器１と同等の部分については同一符号を付してその詳細な説明を省略する。上述した第１実施形態においては、一旦電源スイッチ１３をＯＮ側に設定すると、次に電源スイッチ１３をＯＦＦ側に設定しても、マイコン４などに対する電源は遮断されない。これが製造工程でも機能してしまうと、製造工場などで複合警報器１の動作確認などの検査のために電源スイッチ１３をＯＮ側にしてしまうと、梱包して出荷するときにマイコン４などへの電源供給を遮断することができず、輸送期間中や在庫期間中に電池１２がムダに消耗してしまう、という問題がある。
【００５１】
そこで、第２実施形態においては、図４に示すように、複合警報器１は、リセットスイッチ１６と、切替手段としてのスイッチ監視回路１７と、をさらに備えている。リセットスイッチ１６は、自己保持回路１４のサイリスタＴＨのアノードと電池１２との間に設けられている。このリセットスイッチ１６をオフすると、サイリスタＴＨに対する通電が遮断され、サイリスタＴＨの保持機能がリセットされる。スイッチ監視回路１７は、このリセットスイッチ１６のオンオフを制御する回路であり、スイッチ素子１３Ｂが接続され、電源スイッチ１３のオンオフ状態が供給されている。
【００５２】
このスイッチ監視回路１７は、所定のトリガが発生すると、電源スイッチ１３の切替操作に応じてリセットスイッチ１６をオンオフしてマイコン４などに対する電源供給をオンオフする検査モードから電源スイッチ１３の切替操作に関係なく、リセットスイッチ１６のオンを維持して、自己保持回路１４を機能させる通常モードに切り替えることができる。これにより、製造工程で検査モードにすれば、電源スイッチ１３の切替操作に応じてマイコン４などに対する電源がオンオフできるため、検査が終わり梱包して出荷するときに電源供給を遮断でき、電池の無駄な消費を防ぐことができる。また、その後、トリガを発生させれば、以降、リセットスイッチ１６のオンが継続し、自己保持回路１４を機能させることができる。
【００５３】
所定のトリガとしては、例えば、電源スイッチ１３のＯＮ／ＯＦＦ回数をカウントして、そのカウント値が所定回数を超えたときなどが考えられる。電源が完全に切れた状態では、マイコン４も停止してしまうため、マイコン４内蔵又は外付けの不揮発性メモリ（ＥＥＰＲＯＭなど）に電源スイッチ１３ＯＮ／ＯＦＦ回数を記憶させる。
【００５４】
具体的には、スイッチ監視回路１７は、不揮発性メモリに電源スイッチ１３をＯＮ側にした回数を０→１→２→３…のように、または、電源スイッチ１３をＯＦＦ側にした回数を０→１→２→３…のように、カウントアップし記憶させていく。スイッチ監視回路１７は、カウント値が所定回数まで、上記検査モードにして、電源スイッチ１３のオンオフに応じてマイコン４などへの電源供給をオンオフする。
【００５５】
例えば、製造工程において、マイコン４への電源投入が２回必要ならば、上記回数が２回目まで電源スイッチ１３のオンオフに応じてマイコン４などへの電源供給をオンオフする。つまり、２回目までは電源スイッチ１３をＯＦＦ側にすれば、リセットスイッチ１６もオフされ、マイコン４などへの電源が遮断される。２回目を超えると、スイッチ監視回路１７は、以降、リセットスイッチ１６を常時オンして自己保持回路１４を機能させる。そして、電源スイッチ１３が３回目のＯＮとなった後、３回目のＯＦＦとなっても、自己保持回路１４が機能して、電源が遮断されることはない。
【００５６】
また、所定のトリガとしては、他に、スイッチ監視回路１７が、設定変更用装置から電文を受信したときなどが考えられる。製造工程時は、上述した検査モードに設定されている。製造工程の最終工程において、電源スイッチ１３をＯＦＦ側にして、マイコン４などへの電源供給を遮断する。その後、ガス事業者は、設定変更用装置を複合警報器１に接続する。ガス事業者が設定変更用装置のスタートボタンを押すと、設定変更用装置から複合警報器１にシリアル通信により電文が送信される。スイッチ監視回路１７は、この電文を受信すると、検査モードから通常モードに切り替え、リセットスイッチ１６のオンを維持する。
【００５７】
また、所定のトリガとしては、他に、スイッチ監視回路１７が、使用者宅で設置時に点検が行われたことを検出したときなどが考えられる。製造工程時は、上述した検査モードに設定されていて、製造工程の最終工程において、電源スイッチ１３をＯＦＦ側にして、マイコン４などへの電源供給を遮断して、出荷される。その後、ガス事業者が複合警報器１を設置して、電源スイッチ１３をＯＮ側にすると、マイコン４などに電源が供給される。
【００５８】
さらに、ガス事業者が、複合警報器１のフロントパネルに備えた点検スイッチを押すと、複合警報器１は自己点検を行う。ＬＥＤ５が点灯／点滅し、スピーカ６から点検用音声メッセージが出力され、ガス事業者はそれを目で見て耳で聞いて、複合警報器１の正常性を確認する。また、複合警報器１は自身が備えている火災検出部２、ガス検出部３、スピーカ６、ＬＥＤ５、電池電圧等を自己診断し、もし故障が発見された場合は、スピーカ６からの音声メッセージやＬＥＤ５の点灯などによりそれを報知する。
【００５９】
また、ガス事業者は、点検用ガスを警報器１に吹き掛け、実際に警報動作を行わせて、複合警報器１の正常性を確認する。スイッチ監視回路１７は、例えば点検スイッチの操作や、警報の発生など点検が行われたことを検出すると、検査モードから通常モードに切り替え、リセットスイッチ１６のオンを維持して、自己保持回路１４を機能させる。通常、ガス事業者は複合警報器１を使用者宅に設置すると、点検スイッチや点検用ガスによる点検作業を行うことになっているため、これをトリガにして、通常モードに切り替えて、自己保持回路１４を機能させることができる。
【００６０】
上述した第２実施形態では、このスイッチ監視回路１７が、所定のトリガの発生に応じて、検査モードから通常モードに切り替えていたが、これに限ったものではない。例えば、スイッチ監視回路１７が、通常時はリセットスイッチ１６のオンを維持し、所定のトリガに応じて、リセット手段としての機能し、リセットスイッチ１６を一定期間だけオフして、マイコン４などに対する電源を遮断して、自己保持回路１４をリセットするようにしてもよい。この場合も同様に、製造工程で検査が終わり梱包して出荷するときに、所定のトリガを入力して自己保持回路１４をリセットすればマイコン４などに対する電源供給を遮断できる。このため、電池の無駄な消費を防ぐことができる。
【００６１】
なお、このトリガとしては、例えば、一定時間内に所定回数だけ電源スイッチ１３の切替操作を行ったときなどが考えられる。製造工程では、電源スイッチ１３をＯＮ側に一旦設定すると、自己保持回路１４により電源供給が維持されるが、ガス事業者によって例えば２秒（一定時間）以内に電源スイッチ１３をＯＮ側→ＯＦＦ側→ＯＮ側→ＯＦＦ側のように２回切替操作を繰り返すと、スイッチ監視回路１７がこれを検出してリセットスイッチ１６をオフにする。リセットスイッチ１６がオフされたときに電源スイッチ１３がＯＦＦ側であれば、マイコン４などに対する電源が遮断された状態が維持された状態で、梱包して出荷することができる。このトリガは、上述した検査モードから通常モードに切り替える所定のトリガとしても、採用することができる。
【００６２】
（第３実施形態）
次に、第３実施形態について説明する。なお、第３実施形態における複合警報器１の構成は、上述した第１及び第２実施形態で説明した図１や図４と同等のため、ここでは詳細な説明を省略する。
【００６３】
ところで、上述した複合警報器１のガス検出部３を構成するガスセンサの故障には、「回路故障」と「センサ鋭敏化」という２種類が存在する。回路故障とは、センサの内部回路がショート又はオープンしている状態である。回路故障が発生している状況においては、複合警報器１は、ガス漏れが発生しているにも関わらず警報できなかったり、ガス漏れが発生していないにも関わらず警報が発生する恐れがある。このため、確実に複合警報器１としての機能を停止させ、市場から回収し、新しい複合警報器１と交換する必要がある。
【００６４】
一方、センサ鋭敏化とは、ガスセンサの表面にシリコンなどの被毒物質が付着すると、センサ出力電圧が警報設定レベル（警報閾値）に近づいてしまう現象で、センサ鋭敏化状態になると、少量のガス漏れで頻繁に誤警報を発生するようになってしまう。なお、シリコンは、例えば、台所の水回りのパッキンやヘアスプレー等に含まれ、ガスセンサに好ましくない物質と考えられている。
【００６５】
このような状況で、上記自己保持回路１４を機能させると、以下のような問題点が発生する恐れがあった。即ち、台所で料理にみりん等の料理酒を使用すると、複合警報器１周辺のアルコール濃度が少し上がったり、また換気されて下がったりを繰り返す。もし、センサ鋭敏化していると、本来警報しないはずの薄いアルコールでも異常を検出してしまい誤警報が発生される。使用者は、この誤警報を停止するために、電源スイッチ１３をＯＮ側→ＯＦＦ側と操作する。この操作で一度音声警報は止まるが、また料理によりアルコール濃度が上がり、またすぐに誤警報が発生してしまう。このように、誤警報が発生するたびに、使用者は電源スイッチ１３をＯＮ側→ＯＦＦ側と操作し、わずらわしい警報音を停止する必要がある。これは使用者にとって非常に苦痛であり、最悪の場合、複合警報器１を冷蔵庫の奥に入れてドアを閉めてしまったり、水の中につけてしまったりする恐れがあった。
【００６６】
センサの鋭敏化も、すでに複合警報器１が異常状態にあるわけで、確実に複合警報器１としての機能を停止させ、市場から回収し、新しい複合警報器１と交換する必要がある。そこで、第３実施形態において、複合警報器１は、ガスセンサの故障を検出し、故障が検出されると警報動作を停止させると共に、その旨をＬＥＤ５やスピーカ６を用いて報知する。
【００６７】
このときの複合警報器１の動作の詳細について、図５を参照して説明する。マイコン４は、例えば図３に示す処理手順と並列に図５に示すフローチャートの処理手順を実行している。まず、マイコン４は、電池１２からの電源が供給されると、図５に示す処理手順を実行する。まず、マイコン４は、故障検出手段として働き、ガス検出部３を構成するガスセンサの故障を検出する（ステップＳ１７）。
【００６８】
この故障の判定としては、例えば、一定時間以上、ガスセンサの出力電圧が警報レベルを超えた場合（ガスセンサの鋭敏化）や、回路故障が発生して、ガスセンサの出力電圧が、所定の上限閾値以上、または、所定の下限閾値以下、となった場合（回路故障）、故障を検出する。
【００６９】
マイコン４は、ステップＳ１７で故障を検出しなければ（ステップＳ１８でＮ）、再びステップＳ１７に戻る。これに対して、マイコン４は、ステップＳ１８で故障を検出すれば（ステップＳ１８でＹ）、動作停止手段として働き、図４に示す処理手順のうちガス漏れ検出、ガス漏れ警報についての処理を停止させる（ステップＳ１９）。その後、マイコン４は、故障報知手段として働き、故障の旨を報知する（ステップＳ２０）。このとき、マイコン４は、スピーカ６からの音声メッセージによる音声報知とＬＥＤ５の点灯などの表示報知の双方を行う。具体的には、例えば、１０秒に１回、緑色のＬＥＤ５を点滅させ、スピーカ６から１時間に１回「故障です。ガス会社に連絡してください。」との音声を出力する。これにより、使用者に、故障の旨を知らせて、ガス事業者への通報を促す。
【００７０】
その後、マイコン４は、故障の旨の報知から一定時間経過したか否かを判定する(ステップＳ２１)。一定時間経過すると（ステップＳ２１でＹ）、マイコン４は、故障報知停止手段として働き、音声報知及び表示報知を停止した後（ステップＳ２２）、処理を終了する。
【００７１】
上述した第３実施形態によれば、マイコン４が、ガスセンサの故障を検出するとガス漏れ検出、ガス漏れ警報を停止させるので、ガスセンサの故障により警報音が頻繁に発生するのを防止できる。また、マイコン４が、ガスセンサの故障が検出されるとその旨を報知するので、故障した警報器の交換などを促すことができる。また、故障報知が発生しても一定時間後に音声報知及び表示報知が停止されるため、故障した複合警報器１の回収中に音声報知が鳴動し、ガス事業者や運送業者が驚いて対処に困るという不具合がなくなる。
【００７２】
なお、上述した第３実施形態によれば、故障の旨の報知から一定時間経過すると、音声報知及び表示報知の双方とも停止させていたが、これに限ったものではない。例えば、音声報知のみ停止させて表示報知については継続させてもよい。
【００７３】
また、上述した第３実施形態によれば、ガス検出部３のセンサの故障のみを検出していたが、これに限ったものではない。例えば、火災検出部２のセンサの故障を検出する場合にも適用することができる。
【００７４】
また、上述した第１〜第３実施形態によれば、ガス漏れと火災を警報する複合警報器１であったが、これに限ったものではない。例えば、ガス漏れのみを警報するガス警報器に適用してもよいし、火災のみを警報する火災警報器に適用してもよい。また、一酸化炭素の発生を警報するＣＯ警報器に適用することも考えられる。
【００７５】
また、前述した実施形態は本発明の代表的な形態を示したに過ぎず、本発明は、実施形態に限定されるものではない。即ち、本発明の骨子を逸脱しない範囲で種々変形して実施することができる。
【符号の説明】
【００７６】
１  複合警報器（警報器）
２  火災検出部（異常検出・警報手段）
３  ガス検出部（異常検出・警報手段）
４  マイコン（異常検出・警報手段、報知手段、故障検出手段、動作停止手段、故障報知手段）
１２  電池
１３  電源スイッチ
１４  自己保持回路（自己保持手段）
１７  スイッチ監視回路（切替手段、リセット手段）
【図１】
2015230595.tif 000003
【図２】
2015230595.tif 000004
【図３】
2015230595.tif 000005
【図４】
2015230595.tif 000006
【図５】
2015230595.tif 000007